(57)【要約】【課題】本発明は、輪状ステータの内径側から侵入する異物を段部によって防止することである。【解決手段】本発明によるレゾルバの保護カバーによる防塵構造及び方法は、第２輪状保護カバー(8)の内面に形成された突起部(10)及び段部(11)と、保護カバー用突出部(7)に形成され段部(11)に位置する突部(7a)と、前記保護カバー用突出部(7)の平坦面(7A)は前記突起部(10)の平面(10a)に対応し、内径側(A)から侵入した異物(9)は、突部(7a)と段部(11)間の第１隙間(D１)を介して段部(11)に衝突し、かつ、平坦面(7A)と平面(10a)間の第２隙間(D２)に堆積する構成と方法である。【選択図】図１
2015130741.tif 000002
【特許請求の範囲】
【請求項１】
所定角度間隔で内方へ向けて突出すると共にステータ巻線(2)を備えた複数の突出磁極(3)を有する輪状ステータ(1)と、前記輪状ステータ(1)の第１、第２面(1a,1b)に設けられた第１、第２輪状保護カバー(6,8)と、前記第１輪状保護カバー(6)に所定角度間隔で形成され前記突出磁極(3)間に位置するスロット(4)内に挿入した保護カバー用突出部(7)と、を備え、
前記第２輪状保護カバー(8)の内面に形成された突起部(10)及び前記突起部(10)に連設された段部(11)と、前記保護カバー用突出部(7)に形成され前記段部(11)に位置する突部(7a)と、前記保護カバー用突出部(7)の平坦面(7A)は前記突起部(10)の平面(10a)に対応して配設され、
前記輪状ステータ(1)の内径側(A)から侵入した異物(9)は、前記突部(7a)と前記段部(11)間の第１隙間(D1)を介して前記段部(11)に衝突し、かつ、前記平坦面(7A)と平面(10a)間の第２隙間(D２)に堆積することを特徴とするレゾルバの保護カバーによる防塵構造。
【請求項２】
前記段部(11)は、断面でみて角状階段よりなることを特徴とする請求項１記載のレゾルバの保護カバーによる防塵構造。
【請求項３】
所定角度間隔で内方へ向けて突出すると共にステータ巻線(2)を備えた複数の突出磁極(3)を有する輪状ステータ(1)と、前記輪状ステータ(1)の第１、第２面(1a,1b)に設けられた第１、第２輪状保護カバー(6,8)と、前記第１輪状保護カバー(6)に所定角度間隔で形成され前記突出磁極(3)間に位置するスロット(4)内に挿入した保護カバー用突出部(7)と、を備え、
前記第２輪状保護カバー(8)の内面に形成された突起部(10)及び前記突起部(10)に連設された段部(11)と、前記保護カバー用突出部(7)に形成された前記段部(11)に位置する突部(7a)と、前記保護カバー用突出部(7)の平坦面(7A)は前記突起部(10)の平面(10a)に対応して配設され、
前記輪状ステータ(1)の内径側(A)から侵入した異物(9)は、前記突部(7a)と前記段部(11)間の第１隙間(D1)を介して前記段部(11)に衝突し、かつ、前記平坦面(7A)と平面(10a)間の第２隙間(D２)に堆積することを特徴とするレゾルバの保護カバーによる防塵方法。
【請求項４】
前記段部(11)は、断面でみて角状階段よりなることを特徴とする請求項３記載のレゾルバの保護カバーによる防塵方法。
【発明の詳細な説明】
【技術分野】
【０００１】
本発明は、レゾルバの保護カバーによる防塵構造及び方法に関し、特に、輪状ステータの内径側から侵入する異物を段部によって侵入しないように防止するための新規な改良に関する。
【背景技術】
【０００２】
従来、用いられていたこの種のレゾルバ保護カバーによる防塵構造としては、例えば、特許文献１に開示された構成を図３として挙げることができる。
すなわち、図３において符号１で示されるものは、所定の角度間隔で内方へ向けて突出すると共にステータ巻線２を備えた複数の突出磁極３を有する輪状ステータであり、前記輪状ステータ１の前記各突出磁極３間にはスロット４が形成されている。
【０００３】
前記各突出磁極３には、ステータ巻線２が巻回して設けられていると共に、このステータ巻線２の表面には、ポツティング等からなるステータモールド５が形成されている。
前記輪状ステータ１の第１面１ａには、輪状をなす第１輪状保護カバー６が前記突出磁極３を覆うように設けられており、この第１輪状保護カバー６から一体に下方へ向けて突出する保護カバー用突出部７が形成されている。
【０００４】
前記輪状ステータ１の第２面１ｂには、前述の第１輪状保護カバー６と同様の形状をなし前記保護カバー用突出部７を有しない断面でみて曲折板状をなす第２輪状保護カバー８が設けられている。
前記保護カバー用突出部７の下部には、下方に向けて突出する突起７ａが形成されており、この突起７ａと前記第２輪状保護カバー８の表面８ａとの間には、矢印にて示されるように微細な切削クズ、粉塵等からなる異物９が外気及び油等の流体と共に通過するような第１隙間Ｄ１が形成されている。
【０００５】
前述の図３の構成は、インナロータ型レゾルバの半径方向断面の一部のみを示しており、図３の構成を、例えば、自動車、工作機等の大気中で用いる場合と、あるいは、自動車等の自動変速機等の油中で用いる場合と、があるが、何れの場合も、前述の異物９は気体又は油と一緒に前記第１隙間Ｄ１通過して内径側Ａから外径側Ｂの方向に向けてレゾルバ内部に侵入する。
【先行技術文献】
【特許文献】
【０００６】
【特許文献１】特開２００７−３３３５７３号公報
【発明の概要】
【発明が解決しようとする課題】
【０００７】
従来のレゾルバ保護カバーによる防塵構造は、以上のように構成されていたため、次のような課題が存在していた。
すなわち、レゾルバを大気中に取付けた場合、又は他部品の切削クズ等の異物が流れるＡＴＦ内に設けた場合、粉塵及び切削クズ等の異物が前述の第１隙間を経て保護カバーの内側に入り込み、断線及び相間短絡の危険性があり、レゾルバ自体の信頼性を向上させるための障害となっていた。
また、前記第１隙間の内径側の前記ステータモールド５と第２輪状保護カバー８との間の隙間も小さいことが望ましいが、各部品を組立てる際の組付け公差上、若干の隙間が空いてしまうことは避け難いことであった。
【０００８】
本発明は、以上のような課題を解決するためになされたもので、特に、輪状ステータの内径側から侵入する異物を段部によって侵入しにくいようにしたレゾルバ保護カバーによる防塵構造及び方法を提供することを目的とする。
【課題を解決するための手段】
【０００９】
本発明によるレゾルバの保護カバーによる防塵構造は、所定角度間隔で内方へ向けて突出すると共にステータ巻線を備えた複数の突出磁極を有する輪状ステータと、前記輪状ステータの第１、第２面に設けられた第１、第２輪状保護カバーと、前記第１輪状保護カバーに所定角度間隔で形成され前記突出磁極間に位置するスロット内に挿入した保護カバー用突出部と、を備え、
前記第２輪状保護カバーの内面に形成された突出部及び前記突出部に連設された段部と、前記保護カバー用突出部に形成され前記段部に位置する突部と、前記保護カバー用突出部の平坦面は前記突起部への平面に対応して配設され、
前記輪状ステータの内径側から侵入した異物は、前記突部と前記段部間の第１隙間を介して前記段部に衝突し、かつ、前記平坦面と平面間の第２隙間に堆積する構成であり、また、
前記段部は、断面でみて角状階段よりなる構成であり、また、本発明によるレゾルバの保護カバーによる防塵方法は、
所定角度間隔で内方ヘ向けて突出すると共にステータ巻線を備えた複数の突出磁極を有する輪状ステータと、前記輪状ステータの第１、第２面に設けられた第１、第２輪状保護カバーと、前記第１輪状保護カバーに所定角度間隔で形成され前記突出磁極間に位置するスロット内に挿入した保護カバー用突出部と、を備え、
前記第２輪状保護カバーの内面に形成された突起部及び前記突起部に連設された段部と、前記保護カバー用突出部に形成され前記段部に位置する突部と、前記保護カバー用突出部の平坦面は前記突起部の平面に対応して配設され、
前記輪状ステータの内径側から侵入した異物は、前記突部と前記段部間の第１隙間を介して前記段部に衝突し、かつ、前記平坦面と平面間の第２隙間に堆積する方法であり、また、
前記段部は断面でみて角状階段よりなる方法である。
【発明の効果】
【００１０】
本発明によるレゾルバの保護カバーによる防塵方法は、以上のように構成されているため、次のような効果を得ることができる。
すなわち、所定角度間隔で内方へ向けて突出すると共にステータ巻線を備えた複数の突出磁極を有する輪状ステータと、前記輪状ステータの第１、第２面に設けられた第１、第２輪状保護カバーと、前記第１輪状保護カバーに所定角度間隔で形成され前記突出磁極間に位置するスロット内に挿入した保護カバー用突出部と、を備え、
前記第２輪状保護カバーの内面に形成された突起部及び前記突起部に連設された段部と、前記保護カバー用突出部に形成され前記段部に位置する突部と、前記保護カバー用突出部の平坦面は前記突起部の平面に対応して配設され、
前記輪状ステータの内径側から侵入した異物は、前記突部と前記段部間の第１隙間を介して前記段部に衝突し、かつ、前記平坦面と平面間の第２隙間に堆積すること従来よりも異物の侵入経路が長くなり、第２隙間を通過しにくくなることにより、異物の侵入を効果的に防止することができる。
また、前記段部は、断面でみて角状階段よりなることにより、第１隙間を通過した異物は段部に当ることにより、その異物を含む流体の流れの勢いが急速に弱められ、異物侵入の防止に貢献することができる。
【図面の簡単な説明】
【００１１】
【図１】本発明によるレゾルバの保護カバーによる防塵構造及び方法を示す要部の断面図である。
【図２】図１の要部の拡大断面図である。
【図３】従来構成を示す要部の断面図である。
【発明を実施するための形態】
【００１２】
本発明によるレゾルバの保護カバーによる防塵構造及び方法は、輪状ステータの内径側から侵入する異物を段部によって侵入しないように防止する構成と方法である。
【実施例】
【００１３】
以下、図面と共に本発明によるレゾルバの保護カバーによる防塵構造及び方法の好適な実施の形態について説明する。
尚、従来例と同一又は同等部分については、同一符号を用いて説明する。
図１において符号１で示されるものは、所定の角度間隔で内方へ向けて突出すると共にステータ巻線２を備えた複数の突出磁極３を有する輪状ステータであり、前記輪状ステータ１の前記各突出磁極３間には周知のスロット４が形成されている。
【００１４】
前記各突出磁極３には、ステータ巻線２が巻回して設けられていると共に、このステータ巻線２の表面には、ポツティング等からなるステータモールド５が形成されている。
前記輪状ステータ１の第１面１ａには、輪状をなす第１輪状保護カバー６が前記突出磁極３を覆うように設けられており、この第１輪状保護カバー６から一体に下方へ向けて突出する保護カバー用突出部７が形成されている。
【００１５】
前記輪状ステータ１の第２面１ｂには、前述の第１輪状保護カバー６と同様の形状をなし前記保護カバー用突出部７を有しない断面でみて曲折板状をなす第２輪状保護カバー８が設けられている。
前記保護カバー用突出部７の下部には、下方に向けて突出する突起７ａが形成されており、この突起７ａと前記第２輪状保護カバー８の表面８ａとの間には、矢印にて示されるように微細な切削クズ、粉塵等からなる異物９が流体と共に通過するような第１隙間Ｄ１が形成されている。
尚、前記第１隙間Ｄ１の内径側Ａには、前記ステータモールド５と前記第２輪状保護カバー８の表面８ａとの間にも、前記第１隙間Ｄ１が延長されている。
【００１６】
前記第２輪状保護カバー８の内面には、上方に向けて突出する輪状の突起部１０が一体に形成され、この突起部１０の前記内径側Ａには、この突起部１０に連設するように段部１１が形成され、この段部１１の前記内径側Ａには、前述の第１隙間Ｄ１が形成されている。
前記保護カバー用突出部７の下部の平坦面７Ａは、前記突起部１０の平面１０ａに対応して配設され、この平坦面７Ａと平面１０ａ間には前記第１隙間Ｄ１に連通する第２隙間Ｄ２が形成されている。
【００１７】
前述の構成において、本発明によるレゾルバ２０を、例えば、自動車のエンジンあるいは自動車の自動変速機の油中等に装着して用いた場合、大気中の粉塵又は油中の切削クズ当の異物９は、流体２１として、ステータモールド５と前記表面８ａとの間を経て第１隙間Ｄ１から前記段部１１に衝突することにより、その流体の流れの勢いが弱くなり、次の前記第２隙間Ｄ２を流体２１が通過する際に、前記異物が前記第２隙間Ｄ２内に堆積される。
【００１８】
前述の異物の堆積により、前記第２隙間Ｄ２が詰った状態に近い状態となり、前記第１隙間Ｄ１を通過した異物も第２隙間Ｄ２を通過することは殆んど不可能となり、レゾルバ２０の内径側Ａから内部の巻線側への異物の侵入が防止され、断線、相間短絡等を効果的に防止できる。
【００１９】
尚、本発明によるレゾルバの保護カバーによる防塵構造及び方法の要旨は、以下の通りである。
すなわち、所定角度間隔で内方へ向けて突出すると共にステータ巻線２を備えた複数の突出磁極３を有する輪状ステータ１と、前記輪状ステータ１の第１、第２面１ａ、１ｂに設けられた第１、第２輪状保護カバー６、８と、前記第１輪状保護カバー６に所定角度間隔で形成され前記突出磁極３間に位置するスロット４内に挿入した保護カバー用突出部７と、を備え、
前記第２輪状保護カバー８の内面に形成された突起部１０及び前記突起部１０に連設された段部１１と、前記保護カバー用突出部７に形成され前記段部１１に位置する突部７ａと、前記保護カバー用突出部７の平坦面７Ａは前記突起部１０の平面１０ａに対応して配設され、
前記輪状ステータ１の内径側Ａから侵入した異物９は、前記突部７ａと前記段部１１間の第１隙間Ｄ１を介して前記段部１１に衝突し、かつ、前記平坦面７Ａと平面１０ａ間の第２隙間Ｄ２に堆積する構成と方法であり、また、前記段部１１は、断面でみて角状階段よりなる構成と方法である。
【産業上の利用可能性】
【００２０】
本発明によるレゾルバの保護カバーによる防塵構造及び方法は、簡単な構造で異物の侵入を防止できるため、レゾルバ以外のシンクロやモータ等にも適用が可能である。
【符号の説明】
【００２１】
１        輪状ステータ
１ａ        第１面
１ｂ        第２面
Ａ        内径側
２        ステータ巻線
３        突出磁極
４        スロット
５        ステータモールド
Ｄ１、Ｄ２    第１、第２隙間
６        第１輪状保護カバー
７        保護カバー用突出部
７ａ        突起
８        第２輪状保護カバー
９        異物
１０        突起部
１１        段部
２０        レゾルバ
８ａ        表面
２１        流体
【図１】
2015130741.tif 000003
【図２】
2015130741.tif 000004
【図３】
2015130741.tif 000005